(57)【特許請求の範囲】
【請求項１】
データをそのデータ属性に従って分類したグループ毎に記憶手段に記憶する端末装置であって、
前記データの登録に先立って、前記記憶手段に記憶されている複数のデータの中からいずれかのデータをユーザ操作に応じて指定する指定手段と、
登録すべきデータを取得する取得手段と、
前記指定手段によって指定されたデータのデータ属性に基づいて、前記取得手段で取得されたデータを分類すべきグループを特定する特定手段と、
前記取得手段で取得されたデータを、前記特定手段で特定されたグループのデータとして、前記記憶手段に記憶させる記憶制御手段と
を具備することを特徴とする端末装置。
【請求項２】
前記指定手段によって指定されたデータが既存のグループのデータとして記憶されているか否かを判別する判別手段をさらに備え、
前記特定手段は、前記判別手段によって既存のグループのデータとして記憶されていると判別された場合に、当該既存のグループを、前記分類すべきグループとして特定することを特徴とする請求項１記載の端末装置。
【請求項３】
前記指定手段によって指定されたデータが既存のグループのデータとして記憶されているか否かを判別する判別手段をさらに備え、
前記特定手段は、前記判別手段によって既存のグループのデータとして記憶されていないと判別された場合に、新規のグループを、前記分類すべきグループとして特定することを特徴とする請求項１記載の端末装置。
【請求項４】
前記指定手段によって指定されたデータが既存のグループのデータとして記憶されているか否かを判別する判別手段をさらに備え、
前記特定手段は、前記判別手段によって既存のグループのデータとして記憶されていないと判別された場合に、前記取得手段によって取得されたデータのデータ属性で指定されるグループを、前記分類すべきグループとして特定することを特徴とする請求項１記載の端末装置。
【請求項５】
前記取得手段は、データを受信する受信手段、データを撮像する撮像手段、データをユーザ操作で入力させる入力手段、及び、データを外部記憶媒体から取得する外部データ取得手段の少なくともいずれか１つであることを特徴とする請求項１記載の端末装置。
【請求項６】
前記指定手段によって複数のデータの中から指定されたデータを明示的に表示する表示手段を更に具備することを特徴とする請求項１ないし５のいずれかに記載の端末装置。
【請求項７】
データをそのデータ属性に従って分類したグループ毎に記憶手段に記憶する端末装置を制御するプログラムであって、
コンピュータに、
前記データの登録に先立って、前記記憶手段に記憶されている複数のデータの中からいずれかのデータをユーザ操作に応じて指定する指定機能、
登録すべきデータを取得する取得機能、
前記指定機能によって指定されたデータのデータ属性に基づいて、前記取得機能で取得されたデータを分類すべきグループを特定する特定機能、
前記取得機能で取得されたデータを、前記特定機能で特定されたグループのデータとして、前記記憶手段に記憶させる記憶制御機能
を実現させることを特徴とするプログラム。
【発明の詳細な説明】
【技術分野】
【０００１】
本発明は、データをグループ毎に記憶手段に記憶する端末装置及びプログラムに関する。
【背景技術】
【０００２】
携帯電話などの端末装置において、通信相手とお互いのプロフィールデータを交換する名刺交換機能がある（例えば、特許文献１参照）。該従来技術では、名刺交換した相手のプロフィールデータは、アドレス帳データとして記憶される。一般的に、アドレス帳データは、家族、友人、会社関係などに分類されたいずれかのグループのデータとして記憶されることが多い。
【０００３】
【特許文献１】特開２００１−１１７８８３号公報
【発明の開示】
【発明が解決しようとする課題】
【０００４】
しかしながら、上記従来技術（特許文献１）では、相手のプロフィールデータは、取得（受信）された段階では、いずれのグループにも属していないか、あるいは、相手によってグループが指定されている。したがって、相手のプロフィールデータを取得したユーザは、そのデータを自らが所望するグループのデータとしてアドレス帳に記憶させるために、既存のグループリストを表示させてその中から所望のグループを選択したり、新規のグループを作成したりする操作をしなければならず、操作が煩雑であるという問題がある。
【０００５】
そこで本発明は、取得したデータと既に記憶されているデータとを、ユーザの煩雑な操作を必要とせずに、所望のグループのデータとして容易に記憶させることができる端末装置及びプログラムを提供することを目的とする。
【課題を解決するための手段】
【０００６】
上記目的達成のため、請求項１記載の発明による端末装置は、データをそのデータ属性に従って分類したグループ毎に記憶手段に記憶する端末装置であって、前記データの登録に先立って、前記記憶手段に記憶されている複数のデータの中からいずれかのデータをユーザ操作に応じて指定する指定手段と、登録すべきデータを取得する取得手段と、前記指定手段によって指定されたデータのデータ属性に基づいて、前記取得手段で取得されたデータを分類すべきグループを特定する特定手段と、前記取得手段で取得されたデータを、前記特定手段で特定されたグループのデータとして、前記記憶手段に記憶させる記憶制御手段とを具備することを特徴とする。
【０００７】
また、好ましい態様として、例えば請求項２記載のように、請求項１に記載の端末装置において、前記指定手段によって指定されたデータが既存のグループのデータとして記憶されているか否かを判別する判別手段をさらに備え、前記特定手段は、前記判別手段によって既存のグループのデータとして記憶されていると判別された場合に、当該既存のグループを、前記分類すべきグループとして特定するようにしてもよい。
【０００８】
また、好ましい態様として、例えば請求項３記載のように、請求項１に記載の端末装置において、前記指定手段によって指定されたデータが既存のグループのデータとして記憶されているか否かを判別する判別手段をさらに備え、前記特定手段は、前記判別手段によって既存のグループのデータとして記憶されていないと判別された場合に、新規のグループを、前記分類すべきグループとして特定するようにしてもよい。
【０００９】
また、好ましい態様として、例えば請求項４記載のように、請求項１に記載の端末装置において、前記指定手段によって指定されたデータが既存のグループのデータとして記憶されているか否かを判別する判別手段をさらに備え、前記特定手段は、前記判別手段によって既存のグループのデータとして記憶されていないと判別された場合に、前記取得手段によって取得されたデータのデータ属性で指定されるグループを、前記分類すべきグループとして特定するようにしてもよい。
【００１０】
また、好ましい態様として、例えば請求項５記載のように、請求項１に記載の端末装置において、前記取得手段は、データを受信する受信手段、データを撮像する撮像手段、データをユーザ操作で入力させる入力手段、及び、データを外部記憶媒体から取得する外部データ取得手段の少なくともいずれか１つであってもよい。
【００１１】
また、好ましい態様として、例えば請求項６記載のように、請求項１ないし５のいずれかに記載の端末装置において、前記指定手段によって複数のデータの中から指定されたデータを明示的に表示する表示手段を更に具備するようにしてもよい。
【００１２】
また、上記目的達成のため、請求項７記載の発明によるプログラムは、データをそのデータ属性に従って分類したグループ毎に記憶手段に記憶する端末装置を制御するプログラムであって、コンピュータに、前記データの登録に先立って、前記記憶手段に記憶されている複数のデータの中からいずれかのデータをユーザ操作に応じて指定する指定機能、登録すべきデータを取得する取得機能、前記指定機能によって指定されたデータのデータ属性に基づいて、前記取得機能で取得されたデータを分類すべきグループを特定する特定機能、前記取得機能で取得されたデータを、前記特定機能で特定されたグループのデータとして、前記記憶手段に記憶させる記憶制御機能を実現させることを特徴とする。
【発明の効果】
【００１３】
この発明によれば、取得したデータと既に記憶されているデータとを、ユーザの煩雑な操作を必要とせずに、所望のグループのデータとして容易に記憶させることができるという利点が得られる。
【発明を実施するための最良の形態】
【００１４】
以下、本発明の実施の形態を、図面を参照して説明する。
【００１５】
Ａ．実施形態の構成
図１は、本発明の実施形態による通信システムの構成を示すブロック図である。図において、通信端末装置１−１、１−２は、例えば、携帯電話などからなり、基地局２−１、２−２及び交換機３を介して移動体通信網４に接続し、相互に通信が可能となっている。また、通信端末装置１−１、１−２は、移動体通信網４を介してインターネット５に接続し、相互に通信が可能となっているとともに、インターネット８上で提供される情報、例えば、Ｗｅｂページなどを閲覧したり、データ配信サーバ７で提供される情報などをダウンロードしたりすることが可能となっている。また、通信端末装置１−１、１−２は、近距離において、赤外線通信により相互にデータの送受信が可能となっている。但し、赤外線通信以外にも、非接触ＩＣ通信、Ｂｌｕｅｔｏｏｔｈ通信、無線ＬＡＮ、移動体通信などの無線通信であってもよい。
【００１６】
ＰＣ（パーソナルコンピュータ）８は、通信端末装置１−２と有線通信し、相互にデータを送受信することが可能である。該ＰＣ８は、所定の通信回線、プロバイダを介してインターネット５に接続し、通信端末装置１−１、１−２と同様に、データ配信サーバ７で提供される情報などをダウンロード可能となっている。
【００１７】
次に、図２は、本実施形態による通信端末装置１−１、１−２の構成を示すブロック図である。なお、以下において、通信端末装置１−１、１−２を総称して通信端末装置１として説明する。図において、通信端末装置１は、無線通信部１０−１、赤外線通信部１０−２、音声信号処理部１０−３、表示部１０−４、操作部１０−５、撮像部１０−６、ＲＴＣ１０−７、通信ケーブル接続部１０−８、外部記憶媒体接続部１０−９、ＲＯＭ１０−１０、ＲＡＭ１０−１１及び中央制御部１０−１２からなる。
【００１８】
無線通信部１０−１は、図１に示す基地局２−１、２−２、交換機３から移動体通信網４に接続し、他の端末装置との間で、音声通信や、各種データ送受信などを行う。赤外線通信部１０−２は、端末装置間で赤外線通信によりデータの送受信を行う。音声信号処理部１０−３は、マイク１０−３−１からの音声を取り込み、デジタル信号に変換して中央制御部１０−１２に供給する一方、音声信号をアナログ信号に変換してスピーカ１０−３−２から出力する。
【００１９】
表示部１０−４は、液晶表示器などからなり、各種メッセージや、画像などを表示する。操作部１０−５は、電話番号や、各種データ、動作指示などを入力する。撮像部１０−６は、光学部品や、撮像素子などからなり、画像を撮影する。ＲＴＣ１０−７は、実時間を計時する。通信ケーブル接続部１０−８は、外部のＰＣ８との間で通信ケーブルを接続するためのインターフェースである。外部記憶媒体接続部１０−９は、外部記憶媒体１０−９−１を着脱可能に接続するためのインターフェースである。
【００２０】
ＲＯＭ１０−１０は、所定のプログラムや各種パラメータなどを記憶する。ＲＡＭ１０−１１は、各種データを記憶する。特に、本実施形態では、ＲＡＭ１０−１１は、アドレス帳記憶部１０−１１−１、フォルダ情報記憶部１０−１１−２、データフォルダ記憶部１０−１１−３、及びグループ特定条件記憶部１０−１１−４を備えている。各記憶部に記憶されるデータ構成については後述する。
【００２１】
中央制御部１０−１２は、ＲＯＭ１０−１０に記憶されているプログラムを実行し、各部の動作を制御する。特に、本実施形態では、中央制御部１０−１２は、通信により受信したデータ、撮影したデータ、ユーザにより入力されたデータ、または、外部記憶媒体１０−９−１からコピーしたデータなどの取得したデータと、予め指定したデータとを、予め指定したデータが属するグループに分類してＲＡＭ１０−１１に記憶するための一連の動作を行うようになっている。
【００２２】
図３は、本実施形態による、アドレス帳記憶部１０−１１−１のデータ構成を示す概念図である。アドレス帳記憶部１０−１１−１は、通話や、メール送信の際に相手を指定する場合や、着信時あるいはメール受信時に送信先を表示するために用いられ、アドレス帳ＩＤ（Ａ０１、Ａ０２、Ａ０３、…）毎に、相手の名前（相原○○、伊藤○○、上田○○、遠藤○○、…）、グループＩＤ（Ｇ０１、Ｇ０２、−、…）、グループ名（会社関係、友人、グループ分けなし、…）、電話番号、メールアドレス、住所などの情報を記憶する。
【００２３】
図４は、本実施形態による、フォルダ情報記憶部１０−１１−２のデータ構成を示す概念図である。フォルダ情報記憶部１０−１１−２は、データが格納されているフォルダに関する情報として、フォルダＩＤ（Ｆ０１、Ｆ０２、Ｆ０３、…）毎に、フォルダ名（画像、音楽、ゲーム、風景撮影画像、お気に入り、…）、フォルダ種別（初期フォルダ、ユーザ作成フォルダ、…）、記憶するデータ種別（拡張子：ｊｐｇ、ｐｎｇ、ａｖｉ、ｍｐ３、３ｇ２、ａｍｃ、ｓｗｆ、…）を記憶する。
【００２４】
図５は、本実施形態による、データフォルダ記憶部１０−１１−３のデータ構成を示す概念図である。データフォルダ記憶部１０−１１−３は、記憶されているデータに関する情報として、データを識別するためのデータＩＤ（Ｄ０１、Ｄ０２、Ｄ０３、…）毎に、データ名、フォルダＩＤ（Ｆ０１、Ｆ０２、…）、データ種別（ｊｐｇ、ｐｎｇ、ａｖｉ、ｍｐ３、…）、実データを記憶する。
【００２５】
図６は、本実施形態による、グループ特定条件記憶部１０−１１−４のデータ構成を示す概念図である。グループ特定条件記憶部１０−１１−４は、グループを特定する際に、指定データ優先であるか、取得データ優先であるかが設定された設定フラグ（「１」が選択）を記憶する。指定データ優先では、指定データのグループ（フォルダ）に取得データを記憶させ、取得データ優先では、取得データのグループ（フォルダ）に指定データを記憶させるようになっている。
【００２６】
Ｂ．実施形態の動作
次に、上述した実施形態の動作について説明する。ここで、図７は、本実施形態による通信携帯端末１の動作を説明するためのフローチャート（メインルーチン）である。まず、電源オンが操作されたか否かを判断し（ステップＳ１０）、電源がオンされると、待ち受け画面を表示し、各種操作、着信などを待機する待受状態とする（ステップＳ１２）。待受状態においては、設定操作があったか否か（ステップＳ１４）、アドレス帳起動操作があったか否か（ステップＳ１８）、データフォルダ起動操作あったか否か（ステップＳ２２）、カメラ起動操作があったか否か（ステップＳ２６）、着信を検出したか否か（ステップＳ３０）、電源オフ操作があったか否か（ステップＳ３４）、その他の操作があったか否か（ステップＳ３８）を判断する。
【００２７】
そして、待受状態において、設定操作があった場合には（ステップＳ１４のＹＥＳ）、グループ特定条件記憶部１０−１１−４のグループ特定条件を設定する設定処理を行う（ステップＳ１６）。その後、ステップＳ１２の待受状態に戻る。
【００２８】
また、待受状態において、アドレス帳起動操作があった場合には（ステップＳ１８のＹＥＳ）、アドレス帳処理を実行する（ステップＳ２０）。該アドレス帳処理では、アドレス帳を起動し、アドレス帳にデータ（名前、グループ名など）を登録する。なお、該アドレス帳処理の詳細について後述する。その後、ステップＳ１２の待受状態に戻る。
【００２９】
また、待受状態において、データフォルダ起動操作があった場合には（ステップＳ２２のＹＥＳ）、データフォルダ処理を実行する（ステップＳ２４）。該データフォルダ処理では、データフォルダを起動し、ダウンロードしたデータや、受信したデータ、外部記憶媒体１０−９−１のデータなどを、グループ特定条件記憶部１０−１１−４の設定フラグが「１」となっているグループ特定条件に従ってデータを記憶する。なお、該データフォルダ処理の詳細について後述する。その後、ステップＳ１２の待受状態に戻る。
【００３０】
また、待受状態において、カメラ起動操作があった場合には（ステップＳ２６のＹＥＳ）、カメラ処理を実行する（ステップＳ２８）。該カメラ処理では、カメラ（機構部）を起動し、撮影及び撮影したデータの記憶などを行う。なお、該カメラ処理の詳細について後述する。その後、ステップＳ１２の待受状態に戻る。
【００３１】
また、待受状態において、着信を検出した場合には（ステップＳ３０のＹＥＳ）、通常の通話を行う（ステップＳ３２）。その後、ステップＳ１２の待受状態に戻る。また、待受状態において、電源オフ操作があった場合には（ステップＳ３４のＹＥＳ）、電源オフ処理を行い（ステップＳ３６）、その後、当該処理を終了する。また、待受状態において、音声発信操作など、その他の操作があった場合には（ステップＳ３８のＹＥＳ）、操作に応じたその他の処理を行う（ステップＳ４０）。その後、ステップＳ１２の待受状態に戻る。
【００３２】
次に、図８は、上述したアドレス帳処理（ステップＳ２０）の動作を説明するためのフローチャートである。アドレス帳処理では、まず、アドレス帳を起動し（ステップＳ５０）、データ指定操作があったか否か（ステップＳ５２）、データ新規登録操作があったか否か（ステップＳ５６）、データ受信操作があったか否か（ステップＳ６２）、外部記憶媒体１０−９−１からのコピー操作があったか否か（ステップＳ６６）、アドレス帳終了操作があったか否か（ステップＳ６８）、そして、その他の操作があったか否か（ステップＳ７４）を判断する。
【００３３】
そして、データ指定操作があった場合には（ステップＳ５２のＹＥＳ）、ユーザ操作に応じて、データを指定するアドレス帳データ指定を実行する（ステップＳ５４）。具体的には、アドレス帳に登録されているデータをリスト表示し、ユーザ操作によりカーソルで指定されたデータの詳細を表示する。なお、データの詳細を表示せずに、カーソルで指定するだけでもよい。図１４（ａ）に、アドレス帳において、指定されたデータの詳細表示の表示例を示す。その後、ステップＳ５２に戻る。
【００３４】
また、データ新規登録操作があった場合には（ステップＳ５６のＹＥＳ）、データ入力によりデータを取得する（ステップＳ５８）。具体的には、名前、グループ名、電話番号、メールアドレス、自宅住所のうち、ユーザにより入力された項目を取得する。次に、登録操作があったか否かを判断し（ステップＳ６０）、登録操作があると、取得したデータを記憶するアドレス帳データ記憶処理を実行する（ステップＳ７０）。なお、該アドレス帳データ記憶処理の詳細については後述する。その後、ステップＳ５２に戻る。
【００３５】
また、データ受信操作があった場合には（ステップＳ６２のＹＥＳ）、赤外線通信、または有線通信によるデータ受信によりデータを取得し（ステップＳ６４）、上記ステップＳ７０で、取得したデータを記憶するアドレス帳データ記憶処理を実行する。その後、ステップＳ５２に戻る。また、外部記憶媒体１０−９−１からのコピー操作があった場合には（ステップＳ６６のＹＥＳ）、外部記憶媒体１０−９−１からデータをコピーして取得し（ステップＳ６８）、上記ステップＳ７０で、取得したデータを記憶するアドレス帳データ記憶処理を実行する。その後、ステップＳ５２に戻る。
【００３６】
また、アドレス帳終了操作があった場合には（ステップＳ７２のＹＥＳ）、メインルーチンに戻る。また、検索、削除など、その他の操作があった場合には（ステップＳ７４のＹＥＳ）、操作に応じたその他の処理を行う（ステップＳ７６）。その後、ステップＳ５２に戻る。
【００３７】
次に、図９は、上述したアドレス帳データ記憶処理（ステップＳ７０）の動作を説明するためのフローチャートである。アドレス帳データ記憶処理では、まず、データ取得前に指定されていた指定データがあるか否かを判断する（ステップＳ８０）。次に、指定データがある場合には、該指定データを読み出し（ステップＳ８２）、指定データにグループＩＤがあるか否かを判断する（ステップＳ８４）。そして、指定データにグループＩＤがある場合には、上述したアドレス帳処理で、新規登録されたデータ、受信したデータ、外部記録媒体１０−９−１からコピーしたデータなど、取得データにグループＩＤがあるか否かを判断する（ステップＳ８６）。
【００３８】
そして、取得データにグループＩＤがある場合には、グループ特定条件記憶部１０−１１−４から設定フラグ＝１のグループ特定条件を読み出し（ステップＳ８８）、指定データ優先であるか否かを判断する（ステップＳ９０）。そして、指定データ優先である場合には、指定データのグループを記憶先グループとして特定し（ステップＳ９２）、取得データのグループＩＤとグループ名とを、指定データのグループＩＤとグループ名にして記憶する（ステップＳ９４）。その後、アドレス帳処理に戻る。
【００３９】
一方、指定データ優先でない場合には、取得データのグループを記憶先グループとして特定し（ステップＳ９８）、指定データのグループＩＤとグループ名とを、取得データのグループＩＤとグループ名にして両者のデータを記憶する（ステップＳ９４）。その後、アドレス帳処理に戻る。
【００４０】
また、取得データにグループＩＤがない場合には、グループ特定条件に拘わらず、指定データのグループを記憶先グループとして特定し（ステップＳ９２）、取得データのグループＩＤとグループ名とを、指定データのグループＩＤとグループ名にして記憶する（ステップＳ９４）。その後、アドレス帳処理に戻る。
【００４１】
また、指定データにグループＩＤがない場合には（ステップＳ８４のＮＯ）、取得データにグループＩＤがあるか否かを判断し（ステップＳ９６）、取得データにグループＩＤがある場合には、取得データのグループを記憶先グループとして特定し（ステップＳ９８）、指定データのグループＩＤとグループ名とを、取得データのグループＩＤとグループ名にして両者のデータを記憶する（ステップＳ９４）。その後、アドレス帳処理に戻る。
【００４２】
また、指定データにグループＩＤがなく（ステップＳ８４のＮＯ）、かつ、取得データにもグループＩＤがない場合には（ステップＳ９６のＮＯ）、グループを新設し（ステップＳ１００）、新設したグループを記憶先グループとして特定し（ステップＳ１０２）、指定データのグループＩＤとグループ名、取得データのグループＩＤとグループ名とを、新設したグループのグループＩＤとグループ名にして、両者のデータを記憶する（ステップＳ１０４）。その後、アドレス帳処理に戻る。
【００４３】
また、データ取得前に指定されていた指定データがない場合には（ステップＳ８０のＮＯ）、取得したデータをそのまま記憶し（ステップＳ１０６）、アドレス帳処理に戻る。図１４（ｂ）に、受信したデータの記憶完了表示の表示例を示す。この場合、指定データと同じグループ（図示の例ではＡ株式会社）に記憶される。
【００４４】
次に、図１０は、上述したデータフォルダ処理（ステップＳ２４）の動作を説明するためのフローチャートである。データフォルダ処理では、まず、データフォルダを起動し（ステップＳ１１０）、データ指定操作があったか否か（ステップＳ１１２）、データダウンロード操作があったか否か（ステップＳ１１６）、データ受信操作があったか否か（ステップＳ１２０）、外部記憶媒体１０−９−１からのコピー操作があったか否か（ステップＳ１２４）、データフォルダ終了操作があったか否か（ステップＳ１３０）、その他の操作があったか否か（ステップＳ１３２）を判断する。
【００４５】
そして、データ指定操作があった場合には（ステップＳ１１２のＹＥＳ）、ユーザ操作に応じて、データを指定する（ステップＳ１１４）。具体的には、データをリスト表示し、ユーザ操作によりカーソルで指定されたデータの詳細を表示する。なお、データの詳細を表示せずに、カーソルで指定するだけでもよい。その後、ステップＳ１１２に戻る。
【００４６】
また、データダウンロード操作があった場合には（ステップＳ１１６）、インターネット５のデータ配信サーバ７などからデータをダウンロードして取得し（ステップＳ１１８）、取得したデータを記憶するデータ記憶処理を実行する（ステップＳ１２８）。なお、該データ記憶処理の詳細については後述する。その後、ステップＳ１１２に戻る。
【００４７】
また、データ受信操作があった場合には（ステップＳ１２０のＹＥＳ）、赤外線通信、または有線通信によるデータ受信によりデータを取得し（ステップＳ１２２）、上記ステップＳ１２８で、取得したデータを記憶するデータ記憶処理を実行した後、ステップＳ１１２に戻る。
【００４８】
また、外部記憶媒体１０−９−１からのコピー操作があった場合には（ステップＳ１２４のＹＥＳ）、外部記憶媒体１０−９−１からデータをコピーして取得し（ステップＳ１２６）、上記ステップＳ１２８で、取得したデータを記憶するデータ記憶処理を実行した後、ステップＳ１１２に戻る。
【００４９】
また、データフォルダ終了操作があった場合には（ステップＳ１３０のＹＥＳ）、当該処理を終了し、図７に示すメインルーチンに戻る。また、検索、削除など、その他の操作があった場合には（ステップＳ１３２のＹＥＳ）、操作に応じたその他の処理を行う（ステップＳ１３４）。その後、ステップＳ１１２に戻る。
【００５０】
次に、図１１は、上述したデータ記憶処理（ステップＳ１２８）の動作を説明するためのフローチャートである。データ記憶処理では、まず、データ取得前に指定されていた指定データがあるか否かを判断し（ステップＳ１４０）、指定データがある場合には、該指定データを読み出し（ステップＳ１４２）、グループ特定条件記憶部１０−１１−４から設定フラグ＝１のグループ特定条件を読み出し（ステップＳ１４４）、指定データ優先であるか否かを判断する（ステップＳ９０）。
【００５１】
そして、指定データ優先である場合には、指定データのフォルダを記憶先フォルダとして特定し（ステップＳ１４８）、取得データのフォルダＩＤを、指定データのフォルダＩＤにして記憶する（ステップＳ１５０）。その後、前述したデータフォルダ処理に戻る。
【００５２】
一方、指定データ優先でない場合には、取得データのフォルダを記憶先フォルダとして特定し（ステップＳ１５２）、指定データのフォルダＩＤを、取得データのフォルダＩＤにして両者のデータを記憶する（ステップＳ１５４）。その後、前述したデータフォルダ処理に戻る。
【００５３】
また、データ取得前に指定されていた指定データがない場合には（ステップＳ１４０のＮＯ）、取得したデータの種別に従って記憶先フォルダを特定する（ステップＳ１５６）。例えば、画像なら画像フォルダ、音楽なら音楽フォルダとする。そして、取得データのフォルダＩＤを、特定されたフォルダのフォルダＩＤにして記憶し（ステップＳ１５８）、前述したデータフォルダ処理に戻る。
【００５４】
次に、図１２は、上述したカメラ処理（ステップＳ２８）の動作を説明するためのフローチャートである。カメラ処理では、まず、カメラ（機構部）を起動し（ステップＳ１６０）、データ指定操作があったか否か（ステップＳ１６２）、撮影操作があったか否か（ステップＳ１６６）、カメラ終了操作があったか否か（ステップＳ１６８）、その他の操作があったか否か（ステップＳ１７６）を判断する。
【００５５】
そして、データ指定操作があった場合には（ステップＳ１６２のＹＥＳ）、ユーザ操作に応じて、データを指定する（ステップＳ１６４）。具体的には、データをリスト表示し、ユーザ操作によりカーソルで指定されたデータの詳細を表示する。なお、データの詳細を表示せずに、カーソルで指定するだけでもよい。その後、ステップＳ１６２に戻る。
【００５６】
また、静止画、動画の撮影操作があった場合には（ステップＳ１６６のＹＥＳ）、撮影したデータ（画像）を取得し（ステップＳ１６８）、登録操作があったか否かを判断し（ステップＳ１７０）、登録操作があった場合には、撮影した画像データを記憶する撮影した画像データ記憶処理を実行する（ステップＳ１７２）。なお、該撮影した画像データ記憶処理の詳細については後述する。その後、ステップＳ１６２に戻る。
【００５７】
また、カメラ終了操作があった場合には（ステップＳ１７４のＹＥＳ）、当該処理を終了し、図７に示すメインルーチンに戻る。また、削除など、その他の操作があった場合には（ステップＳ１７６のＹＥＳ）、操作に応じたその他の処理を行う（ステップＳ１７８）。その後、ステップＳ１６２に戻る。
【００５８】
次に、図１３は、上述した撮影した画像データ記憶処理（ステップＳ１７２）の動作を説明するためのフローチャートである。撮影した画像データ記憶処理では、まず、データ取得前に指定されていた指定データがあるか否かを判断し（ステップＳ１８０）、指定データがある場合には、指定データを読み出し（ステップＳ１８２）、指定データのフォルダを、記憶先フォルダとして特定し（ステップＳ１８４）、取得データのフォルダＩＤを、指定データのフォルダＩＤとして記憶する（ステップＳ１８６）。その後、上述したカメラ処理に戻る。
【００５９】
一方、データ取得前に指定されていた指定データがない場合には、取得データのフォルダＩＤを、Ｆ０１（画像フォルダ）にして記憶する（ステップＳ１８８）。その後、上述したカメラ処理に戻る。
【００６０】
上述した実施形態によれば、取得するデータに関連するデータを予め指定しておくだけで、それらのデータを同じグループに記憶させることができる。
【００６１】
また、上述した実施形態によれば、指定されたデータが記憶されているグループに、取得したデータを容易に記憶させることができる。例えば、名刺交換機能で、ある人のプロフィールデータを受信してアドレス帳に登録する場合に、その人と同じ会社の人のアドレス帳データを表示させるなどして予め指定しておけば、同じ会社のグループに記憶させることができる。
【００６２】
また、上述した実施形態によれば、指定されたデータと取得したデータとを同じ新設のグループに容易に記憶させることができる。
【００６３】
また、上述した実施形態によれば、取得されたデータが指定するグループに、指定されたデータと取得されたデータとを容易に記憶させることができる。
【００６４】
また、上述した実施形態によれば、受信したデータ、撮像したデータ、ユーザ操作で入力されたデータ、外部記憶媒体１０−９−１から取得したデータを、指定されたデータと同じグループに記憶させることができる。
【００６５】
また、上述した実施形態によれば、所望のデータを明示的に表示させるようにしたので、指定データを容易に認識することができる。
【００６６】
なお、上述した実施形態においては、記憶手段（アドレス帳記憶部１０−１１−１、フォルダ情報記憶部１０−１１−２、データフォルダ記憶部１０−１１−３）を、携帯電話などの通信端末装置１に備えるようにしたが、これに限らず、例えば、外部記憶媒体１０−９−１に備えられてもよいし、インターネット５上のサーバに備えられていてもよい。
また、上述した実施形態においては、データをアドレス帳データ、画像（静止画、動画）データ、音楽データ、ゲームデータとしたが、これらに限らず、グループ毎に記憶される任意のデータでよい。
また、上述した実施形態においては、端末装置を携帯電話としたが、これに限らず、パーソナルコンピュータ、ＰＤＡ、デジタルカメラ、音楽プレイヤーなど、任意の端末装置でよい。
【図面の簡単な説明】
【００６７】
【図１】本発明の実施形態による通信システムの構成を示すブロック図である。
【図２】本実施形態による通信端末装置１−１、１−２の構成を示すブロック図である。
【図３】本実施形態によるアドレス帳記憶部１０−１１−１のデータ構成を示す概念図である。
【図４】本実施形態によるフォルダ情報記憶部１０−１１−２のデータ構成を示す概念図である。
【図５】本実施形態によるデータフォルダ記憶部１０−１１−３のデータ構成を示す概念図である。
【図６】本実施形態によるグループ特定条件記憶部１０−１１−４のデータ構成を示す概念図である。
【図７】本実施形態による通信携帯端末１の動作を説明するためのフローチャート（メインルーチン）である。
【図８】アドレス帳処理（ステップＳ２０）の動作を説明するためのフローチャートである。
【図９】アドレス帳データ記憶処理（ステップＳ７０）の動作を説明するためのフローチャートである。
【図１０】データフォルダ処理（ステップＳ２４）の動作を説明するためのフローチャートである。
【図１１】データ記憶処理（ステップＳ１２８）の動作を説明するためのフローチャートである。
【図１２】カメラ処理（ステップＳ２８）の動作を説明するためのフローチャートである。
【図１３】撮影した画像データ記憶処理（ステップＳ１７２）の動作を説明するためのフローチャートである。
【図１４】アドレス帳において、指定されたデータの詳細表示の表示例、及び受信したデータの記憶完了表示の表示例を示す模式図である。
【符号の説明】
【００６８】
１−１、１−２  通信携帯端末
２−１、２−２  基地局
３  交換機
４  移動体通信網
５  インターネット
７  データ配信サーバ
８  ＰＣ
１０−１  無線通信部
１０−２  赤外線通信部
１０−３  音声信号処理部
１０−３−１  マイク
１０−３−２  スピーカ
１０−４  表示部
１０−５  操作部
１０−６  撮像部
１０−７  ＲＴＣ
１０−８  通信ケーブル接続部
１０−９  外部記憶媒体接続部
１０−９−１  外部記憶媒体
１０−１０  ＲＯＭ
１０−１１  ＲＡＭ
１０−１１−１  アドレス帳記憶部
１０−１１−２  フォルダ情報記憶部
１０−１１−３  データフォルダ記憶部
１０−１１−４  グループ特定条件記憶部
１０−１２  中央制御部
【図１】
0004729769.tif 000002
【図２】
0004729769.tif 000003
【図３】
0004729769.tif 000004
【図４】
0004729769.tif 000005
【図５】
0004729769.tif 000006
【図６】
0004729769.tif 000007
【図７】
0004729769.tif 000008
【図８】
0004729769.tif 000009
【図９】
0004729769.tif 000010
【図１０】
0004729769.tif 000011
【図１１】
0004729769.tif 000012
【図１２】
0004729769.tif 000013
【図１３】
0004729769.tif 000014
【図１４】
0004729769.tif 000015